(57)【特許請求の範囲】
【請求項１】
それぞれが独立した電源を有する第１の装置と第２の装置とがケーブルにより接続されて構成され、データの送受信を行うデータ送受信システムにおいて、
前記第１の装置と第２の装置とは、それぞれの電源にプルアップされた抵抗を介して相手側のレシーバの出力信号レベルを制御する端子に、自装置の電源がオフしたことを示す信号を送る信号線を接続し、
前記レシーバは、前記端子に相手側の装置の電源がオフしたことを示す信号が印加されたとき、全出力信号をシリアル通信のブレーク状態を意味するレベルとする機能を有していることを特徴とするデータ送受信システム。
【請求項２】
前記第１の装置と第２の装置とを接続している信号線のケーブルの接続が外れたとき、
前記レシーバは、全出力信号をシリアル通信のブレーク状態を意味するレベルとする機能を有していることを特徴とする請求項１記載のデータ送受信システム。
【発明の詳細な説明】
【０００１】
【発明の属する技術分野】
本発明は、データ送受信システムに係り、特に、電源系統がそれぞれに独立して備えられているいるデジタル複写機とビットマップ画データ入出力装置とが接続されて構成された画像形成システムにおけるデジタル複写機とビットマップ画データ入出力装置との間でデータの送受信を行うデータ送受信システムに関する。
【０００２】
【従来の技術】
近年、複写機の機能が高度化するに従って、複写機自体が複数の装置を接続しして構成されるようになってきている。例えば、デジタル複写機は、複写機能を有する本体装置に、ホストからのプリント用の画データをビットマップに展開するプリンタコントローラと読み取られたビットマップデータを圧縮し標準フォーマットに変換してファイルとしてホストに送るスキャナコントローラとが接続されて構成され、本体装置が前述のコントローラを介してホスト等の外部装置との間で画データの入出力を行っている。そして、Ａ０等の大面積の用紙を扱うことができる大型のデジタル複写機は、ビットマップデータによる画データ量の増大により、コンローラとの間で高速なデータ転送が要求されている。また、最近のパーソナルコンピュータの性能向上に伴い、パーソナルコンピュータ１台で前述した２種のコントローラの機能を実現したものがある。このような場合、デジタル複写機の本体装置とコントローラとを相互に遠く離れて設置することが可能となる。
【０００３】
このような場合、それぞれの機器は、独立の電源で動作し、ＬＶＤＳ（Low Voltage Differential Signaling）等のインタフェース素子を介して、相互間の信号がケーブル接続されている。それぞれが独立の電源で動作するデジタル複写機の本体装置とコントローラとが接続されて構成される画像形成システムに関する従来技術として、例えば、特開平８−２１４１３８号公報等に記載された技術が知られている。この従来技術は、相手側装置の非活性をシリアル通信データラインでブレークを検出することにより判断するというものである。
【０００４】
【発明が解決しようとする課題】
前述した従来技術による方法は、一方の装置が電源断となった場、無通信状態となり、他方の電源がＯＮされている装置が、ブレークを検出することができなくなり、非活性となった装置に対して通常動作を続けようとして、異常状態または機能停止状態に落ちいって、電源をＯＦＦ／ＯＮして立ち上げ直したり、手動による復旧操作を必要とするという問題点を有している。
【０００５】
また、一方の装置がパーソナルコピュータ等の場合、汎用ＯＳや専用ソフトの立ち上げに多くの時間を要したり、復旧操作が複雑であったりし、コントローラと複写機本体とが遠く離れて設置されているような場合、両方を容易に立ち上げ直すことが困難であるという問題点を生じていた。
【０００６】
本発明の目的は、前述した従来技術の問題点を解決し、一方の装置の電源がＯＦＦとなっても、もう一方の電源がＯＮされている装置が、シリアル通信データラインでブレークを検出することを可能にして、電源がＯＦＦとなったことにより生じる再立ち上げ等の復旧作業を不要にすることのできるそれぞれが独立の電源で動作する複写機能を有する本体装置とコントローラとが接続されて構成される画像形成システムにおける複写機能を有する本体装置とコントローラとの間でデータの送受信を行うデータ送受信システムを提供することにある。
【０００７】
【課題を解決するための手段】
前記目的を達成するため、請求項１に記載の発明は、それぞれが独立した電源を有する第１の装置と第２の装置とがケーブルにより接続されて構成され、データの送受信を行うデータ送受信システムにおいて、前記第１の装置と第２の装置とは、それぞれの電源にプルアップされた抵抗を介して相手側のレシーバの出力信号レベルを制御する端子に、自装置の電源がオフしたことを示す信号を送る信号線を接続し、前記レシーバは、前記端子に相手側の装置の電源がオフしたことを示す信号が印加されたとき、全出力信号をシリアル通信のブレーク状態を意味するレベルとする機能を有していることを特徴とする。
【０００８】
また、請求項２に記載の発明は、請求項１において、前記第１の装置と第２の装置とを接続している信号線のケーブルの接続が外れたとき、前記レシーバは、全出力信号をシリアル通信のブレーク状態を意味するレベルとする機能を有していることを特徴とする。
【００１２】
【発明の実施の形態】
以下、本発明による画像形成システムの実施形態を図面により詳細に説明する。
【００１３】
図１は本発明の一実施形態による画像形成システムの構成を示すブロック図である。図１において、１０はデジタル複写機、１１、２１はレシーバ、１２、２２はトランスミッタ、１３、２３はＵＡＲＴ、２０はコントローラ、３０はケーブルである。
【００１４】
本発明の一実施形態による画像形成システムは、レシーバ１１、トランスミッタ１２及びＵＡＲＴ１３を備えて構成されるデジタル複写機１０と、レシーバ２１、トランスミッタ２２及びＵＡＲＴ２３を備えて構成されるコントローラ２０とがケーブル３０により相互に接続されて構成されている。コントローラ２０は、パーソナルコピュータ等の中に構成されるホストからのプリント用の画データをビットマップに展開するプリンタコントローラと読み取られたビットマップデータを圧縮し標準フォーマットに変換してファイルとしてホストに送るスキャナコントローラとにより構成されるビットマップ画データ入出力装置であってよく、あるいは、前述のコントローラの一方の場合であってもよい。そして、デジタル複写機１０とコントローラ２０とは、それぞれ、図示しない独立した電源を備えて構成されている。また、コントローラ２０には、ホスト等の外部装置が接続され、画データを相互に送受信することが可能にされている。
【００１５】
デジタル複写機１０とコントローラ２０とを接続するケーブル３０は、両装置のトランスミッタ１２、２２から相手装置のレシーバ２１、１１に画情報を送るデータ線３１、３４と、コントローラ２０のトランスミッタ２２からデジタル複写機１０のレシーバ１１にコマンドを送るコマンド線３２と、デジタル複写機１０のトランスミッタ１２からコントローラ２０のレシーバ２１にステータス信号を送る信号線３５と、グランド線３７とを含んでおり、さらに、本発明のために設けられた両装置のそれぞれの電源にプルアップされた抵抗を介して相手側装置のレシーバ１１、２１のパワーダウン制御端子（ＰＷＲＤＷＮ）にパワーダウン信号を送る信号線３３、３６を含んでいる。
【００１６】
前述において、レシーバ１１、２１は、それらのパワーダウン制御端子の印加電圧がハイ（Ｈ）レベルとなっている場合、正常な動作を継続し、印加電圧がロー（Ｌ）レベルとなった場合、不活性状態となり、全出力信号をＬレベルとする機能を有している。そして、各装置１０、２０の電源が正常に作動している場合、レシーバ１１、２１のパワーダウン制御端子（ＰＷＲＤＷＮ）には、プルアップされた相手装置の電源電圧がプルアップ抵抗とパワーダウン制御端子に接続されている抵抗とにより分圧されたＨレベルの電圧が印加され、レシーバ１１、２１は、正常に動作を続けることができる。
【００１７】
いま、一方の装置、例えば、コントローラ２０の電源がＯＦＦとされたものとする。このとき、コントローラ２０からのプルアップされた電圧がなくなることになり、デジタル複写機１０のレシーバ１１のパワーダウン制御端子には、この端子とグランドとの間に接続されている抵抗を介してグランド電位、すなわち、Ｌレベルの電位が印加されることになる。この結果、レシーバ１１は、不活性状態となり、全出力信号をＬレベルとする。
【００１８】
パラレル信号をシリアル信号に変換したり、逆に、シリアル信号をパラレル信号に変換したりする機能を持ち、レシーバ１１、トランスミッタ１２に接続されているＵＡＲＴ１３は、前述したレシーバ１１が、不活性状態となり、レシーバ１１からの全出力信号がＬレベルとなったことを検出する。これにより、ＵＡＲＴ１３は、シリアル通信データ信号が接続されていれる入力側に対応する出力側の信号がブレーク状態、すなわち、シリアル信号データラインでのブレーン区状態を検出することができ、相手側装置、この場合、コントローラ２０の電源がＯＦＦとされ不活性となったことを検出することができる。
【００１９】
前述したように、デジタル複写機１０は、相手装置のコントローラ２０の電源のＯＦＦを知ることができるので、コントローラ２０に対して通常動作を続けようとして、自装置の電源をＯＦＦ／ＯＮして立ち上げ直したり、手動による復旧操作を行わせる等の余分な操作を不要とすることができる。
【００２０】
前述では、コントローラ２０の電源がＯＦＦとされた場合のデジタル複写機１０側でのコントローラ２０の電源ＯＦＦを検出するとして説明したが、デジタル複写機１０の電源がＯＦＦとされた場合、コントローラ２０は、前述した場合と全く同様にして、デジタル複写機１０の電源ＯＦＦを検出することができる。
【００２１】
また、前述した本発明の実施形態は、デジタル複写機１０とコントローラ２０とを接続しているケーブル３０が外れた場合にも、前述と同様に、ケーブル３０の外れを検出することができる。すなわち、ケーブル３０が外れると、デジタル複写機１０とコントローラ２０との両方のレシーバ１１、２１のパワーダウン制御端子には、この端子とグランドとの間に接続されている抵抗を介してグランド電位、すなわち、Ｌレベルの電位が印加されることになる。この結果、レシーバ１１、２１は、不活性状態となり、全出力信号をＬレベルとする。
【００２２】
従って、デジタル複写機１０とコントローラ２０とは、ケーブルが外れた場合、それぞれが、相手側の電源がＯＦＦとされたものとして認知することになり、前述の場合と同様に、自装置の電源をＯＦＦ／ＯＮして立ち上げ直したり、手動による復旧操作を行わせる等の余分な操作を不要とすることができる。
【００２３】
前述した本発明の実施形態によれば、第１の装置としてのデジタル複写機と第２の装置としてのコントローラとが接続されて構成されるデータ送受信システムにおいて、一方の電源がＯＦＦとなったことにより生じるもう一方の再立ち上げなどの手動で行う復旧作業を不用にすることができる。また、デジタル複写機とコントローラとを接続しているケーブルが外れたことにより生じる両者の再立ち上げなどの手動で行う復旧作業を不用にすることができる。
【００２４】
【発明の効果】
以上説明したように本発明によれば、第１の装置としてのデジタル複写機と第２の装置としてのコントローラとが接続されたシステムにおいて、一方の電源のＯＦＦ、あるいは、接続ケーブルの外れによっても、再立ち上げなどの手動で行う復旧作業を不用とすることができる。
【図面の簡単な説明】
【図１】本発明の一実施形態による画像形成システムの構成を示すブロック図である。
【符号の説明】
１０  デジタル複写機
１１、２１  レシーバ
１２、２２  トランスミッタ
１３、２３  ＵＡＲＴ
２０  コントローラ
３０  ケーブル
【図１】
0003814205.tif 000002